(57)【特許請求の範囲】
【請求項１】
基端部に外部を遮断するゴム状弾性体が取り付けられた薬液流入口を有する混注部と、内腔内に前記ゴム状弾性体に穿刺される針部を有し、前記内腔内に前記混注部の基端部が着脱可能かつ摺動および回動可能に接続されるコネクターとを備えてなり、
前記混注部の基端部の外壁に突起部を設けるとともに、前記コネクターの外周部に、前記突起部が係止される少なくとも２個の係止孔を有し、先端部が開口された係合部を設け、前記突起部の前記係止孔への係止位置により、前記針部の先端部の前記ゴム状弾性体への挿入深さを少なくとも２段階に設定できるようにし、
前記コネクターを前記混注部に深く接続させたときに、前記コネクターの針部の先端部が前記混注部のゴム状弾性体を貫通して該混注部の内腔内に位置し、前記コネクターを前記混注部に浅く接続させたときに、前記コネクターの針部の先端部が前記混注部のゴム状弾性体内に位置して前記針部の先端部を該ゴム状弾性体により閉塞するようにしたことを特徴とする接続具。
【請求項２】
コネクターの係合部を、前記針部の挿入方向とほぼ平行で先端部が開口されたほぼＩ字状の溝部と、該溝部の基端部に溝部と直交する方向に設けられた第１の係止孔と、前記溝部のほぼ中間部に該溝部と直交しかつ前記第１の係止孔と同方向または反対方向に設けられた第２の係止孔とにより構成したことを特徴とする請求項１記載の接続具。
【請求項３】
コネクターの係合部を、前記針部の挿入方向とほぼ平行で先端部が開口されたほぼＩ字状の溝部と、該溝部の基端部から前記コネクターの先端部に向かって傾斜した第１の係止孔と、前記溝部のほぼ中間部に前記第１の係止孔と同方向または反対方向でかつ前記コネクターの先端部に向かって傾斜した第２の係止孔とにより構成したことを特徴とする請求項１記載の接続具。
【請求項４】
コネクターの係合部を、前記針部の挿入方向とほぼ平行で先端部が開口されたほぼＩ字状の溝部と、該溝部の基端部から前記コネクターの先端部に向かって傾斜した第１の係止孔と、前記溝部の基端部の前記第１の係止孔と反対方向から前記コネクターの先端部に向かって傾斜し前記第１の係止孔より前記コネクター先端部側に位置する第２の係止孔とにより構成したことを特徴とする請求項１記載の接続具。
【請求項５】
コネクターの外周部に設けられた前記係合部の近傍に、開口された窓部を設けるとともに、前記混注部の基端部の外壁に、前記コネクターの接続位置に対応して前記窓部から表示する文字部を設けたことを特徴とする請求項１乃至４のいずれか記載の接続具。
【請求項６】
コネクターを、前記混注部の基端部の外側に着脱可能かつ摺動および回動可能に嵌合される有蓋円筒状のフード部と、該フード部の蓋部内側のほぼ中心部に設けられ、前記混注部の基端部がフード部内に嵌合されたときに前記混注部のゴム状弾性体に穿刺される鈍針と、前記フード部の蓋部外側のほぼ中心部に設けられ、前記鈍針の内腔に連通する内腔を有し、混注部品または側注部品が連結または結合される連結部と、前記フード部の外周部の先端部側に設けられ前記混注部の突起部が係止される少なくとも２個の係止孔を有する係合部とにより構成したことを特徴とする請求項１乃至５のいずれか記載の接続具。
【発明の詳細な説明】
【０００１】
【発明の属する技術分野】
本発明は、輸液ライン等に薬液を一時的または長期的に注入したり、動・静脈ラインから採血等を行う場合などに用いられる液体混注具およびカテーテル等の混注部と、それに接続され内腔内に設けた針部により薬液等を混注部に流入するコネクターとからなる接続具に関するものである。
【０００２】
【従来の技術】
中心静脈栄養療法をはじめとする各種の栄養投与中において、他の薬液等を注入する場合、輸液ルートの途中に予め備えておいた別ルートの輸液ラインが接続された接続具である混注部およびコネクターを介して行う方法が通常用いられている。この混注部に用いられる手段としては、輸液ラインからの細菌の侵入を防止して感染の機会を減らすことが可能な外部とを遮断するセプタム、つまりゴム状弾性体を有する混注部が使用されている。
【０００３】
図４は従来の代表的なＹ型の液体混注具およびそれに接続して用いられるコネクターの一部を断面で示した外観図と、その作用説明図である。図において、５１は接続具のＹ型の液体混注具の本体を構成するハウジングで、混注口５２と流出口５３を両端部に有する管状体であり、かつ一般的に中間部に分岐管５４が形成されその端部に注入口５５を有している。５６は混注口５２を封止するゴム状弾性体で、混注口５２に嵌着されたキャップ５７によって混注口５２に保持されている。５８はハウジング５１の外壁に設けられた二条の外ねじ、５９はハウジング５１の外壁の外ねじ５８より分岐管５４側に設けられ後述するコネクターのフード部の先端部を塞ぐ段部である。
【０００４】
６０はハウジング５１の基端部である混注口５２側に接続される接続具のコネクターで、内径がキャップ５７の外径とほぼ等しい有蓋円筒状に形成され、その円筒状の胴部内にハウジング５１の混注口５２側が摺動かつ回動可能に嵌合され、ハウジング５１の外ねじ５８に螺合する二条の内ねじ６２が内壁に設けられたフード部６１と、フード部６１の蓋部外側のほぼ中心部に設けられたほぼ円筒状の連結部６３と、ほぼ中心部に内腔６４ａを有し、一方の端部に基部側が内腔６４ａ内に嵌入されてゴム状弾性体５６に穿刺される針部６５を備え、他方の端部に混注時等に使用される延長チューブ６６が接続されて、針部６５がフード部６１内に位置するように連結部６３に連結された接続部６４とからなっている。
【０００５】
そして、注入口５５に延長チューブ６７が結合された分岐管５４側をメインルートとし、主薬液はこのメインルートを通ってハウジング５１の流出口５３に結合された延長チューブ６８から患者側（血管など）へ投与される。また、図４（ｂ）に示すように、ハウジング５１の混注口５２側にコネクター６０のフード部６１を嵌装し、外ねじ５８および内ねじ６２によりコネクター６０をハウジング５１に接続させつつゴム状弾性体５６に針部６５を穿刺させた混注口５２側を混注ルートとし、他の薬液は、図４（ｂ）の矢印Ｙに示すように、延長チューブ６６からこの混注ルートを通ってハウジング５１内の主薬液（図４（ｂ）の矢印Ｘ）と混合しつつ流出口５３に結合された延長チューブ６８から患者側（血管など）へ持続的に投与される。
【０００６】
他の薬液の投与を終了する場合は、ハウジング５１に設けられた外ねじ５８とコネクター６０の内ねじ６２との螺合を緩めて、針部６５がゴム状弾性体５６から抜ける方向にコネクター６０を引っ張り離脱させる。
【０００７】
【発明が解決しようとする課題】
上記のような従来の接続具である液体混注具およびコネクター６０は、他の薬液の投与を中断する場合、特別な機能を備えていないため、他の薬液の投与を終了する場合と同様に、ハウジング５１に設けられた外ねじ５８とコネクター６０の内ねじ６２との螺合を緩めて、針部６５がゴム状弾性体５６から抜ける方向にコネクター６０を引っ張り離脱させるか、または、クランプまたはローラクランプ等を用いて延長チューブ６６を閉塞し、針部６５からハウジング５１への混注ルートを遮断させていた。
【０００８】
しかしながら、いずれの場合もその作業は煩わしいものであり、前者のようにコネクター６０を一旦離脱させてしまうと、そのコネクター６０は細菌による感染などの問題で再度使用することができず、新しいコネクター６０と交換しなければならなかった。このため、中断作業はより手間のかかるものとなってしまっていた。また、後者のようにクランプ等で延長チューブ６６を閉塞し混注ルートを遮断した場合は、液体混注具側で中断操作を行っていないため、混注ルートが遮断されたかどうかの判断がしにくく、場合によっては完全に遮断されずに薬液の投与が継続されてしまうこともあった。このため、医師または看護婦などの医療従事者が、薬液投与が中断されているかの確認に長い時間費やさなければならず、その作業が面倒であった。さらに、後者の場合は、延長チューブ６６のクランプされた部分から針部６５の針先までの間に薬液が残ってしまい、滞留部分を作ってしまうという問題もあった。
【０００９】
本発明は、上記のような課題を解決するためになされたもので、薬液投与の中断作業を簡単かつ確実に行えるとともに、使用中のものを交換することなく継続して用いても細菌による感染を防止することのできる使い勝手のよい接続具を提供することを目的としたものである。
【００１０】
【課題を解決するための手段】
本発明に係る接続具は、基端部に外部を遮断するゴム状弾性体が取り付けられた薬液流入口を有する混注部と、内腔内にゴム状弾性体に穿刺される針部を有し、内腔内に混注部の基端部が着脱可能かつ摺動および回動可能に接続されるコネクターとを備えてなり、混注部の基端部の外壁に突起部を設けるとともに、コネクターの外周部に、突起部が係止される少なくとも２個の係止孔を有し、先端部が開口された係合部を設け、突起部の係止孔への係止位置により、針部の先端部のゴム状弾性体への挿入深さを少なくとも２段階に設定できるようにし、コネクターを混注部に深く接続させたときに、コネクターの針部の先端部が混注部のゴム状弾性体を貫通して混注部の内腔内に位置し、コネクターを混注部に浅く接続させたときに、コネクターの針部の先端部が混注部のゴム状弾性体内に位置して針部の先端部をゴム状弾性体により閉塞するようにしたものである。
【００１２】
本発明に係る接続具は、コネクターの係合部を、針部の挿入方向とほぼ平行で先端部が開口されたほぼＩ字状の溝部と、溝部の基端部に溝部と直交する方向に設けられた第１の係止孔と、溝部のほぼ中間部に溝部と直交しかつ第１の係止孔と同方向または反対方向に設けられた第２の係止孔とにより構成したものである。
【００１３】
本発明に係る接続具は、コネクターの係合部を、針部の挿入方向とほぼ平行で先端部が開口されたほぼＩ字状の溝部と、溝部の基端部からコネクターの先端部に向かって傾斜した第１の係止孔と、溝部のほぼ中間部に第１の係止孔と同方向または反対方向でかつコネクターの先端部に向かって傾斜した第２の係止孔とにより構成したものである。
【００１４】
本発明に係る接続具は、コネクターの係合部を、針部の挿入方向とほぼ平行で先端部が開口されたほぼＩ字状の溝部と、溝部の基端部からコネクターの先端部に向かって傾斜した第１の係止孔と、溝部の基端部の第１の係止孔と反対方向からコネクターの先端部に向かって傾斜し第１の係止孔よりコネクターの先端部側に位置する第２の係止孔とにより構成したものである。
【００１６】
本発明に係る接続具は、コネクターの外周部に設けられた係合部の近傍に、開口された窓部を設けるとともに、混注部の基端部の外壁に、コネクターの接続位置に対応して窓部から表示する文字部を設けたものである。
【００１７】
本発明に係る接続具は、コネクターを、混注部の基端部の外側に着脱可能かつ摺動および回動可能に嵌合される有蓋円筒状のフード部と、フード部の蓋部内側のほぼ中心部に設けられ、混注部の基端部がフード部内に嵌合されたときに混注部のゴム状弾性体に穿刺される鈍針と、フード部の蓋部外側のほぼ中心部に設けられ、鈍針の内腔に連通する内腔を有し、混注部品または側注部品が連結または結合される連結部と、フード部の外周部の先端部側に設けられ混注部の突起部が係止される少なくとも２個の係止孔を有する係合部とにより構成したものである。
【００１８】
【発明の実施の形態】
実施の形態１．
図１は本発明の実施の形態１の外観図およびその断面で示した作用説明図である。図において、１は例えば後述する液体混注具の本体を構成するハウジングの基端部である混注口側に接続される接続具のコネクターで、例えばポリカーボネートまたは軟質のポリプロピレンなどの透明なプラスチック材料により構成されている。
【００１９】
コネクター１は、有蓋円筒状のフード部２と、フード部２の蓋部内側のほぼ中心部に設けられ、先端部３ｂの外壁の外径が先端に向かって縮径された鈍針３と、フード部２の蓋部外側のほぼ中心部に設けられ、鈍針３の内腔３ａに連通する内腔４ａを有し、混注部品または側注部品である例えば延長チューブ７の先端部または注射筒のルアーチップ（図示せず）が連結されるメスルアー状に形成された連結部４とを備えている。また、フード部２の胴部２ａの先端部側には、鈍針３の軸方向（挿入方向）とほぼ平行で先端部が開口されたほぼＩ字状の溝部５ａを設け、その溝部５ａの基端部に溝部５ａと直交する方向に設けられた第１の係止孔５ｂと、溝部５ａのほぼ中間部に溝部５ａと直交しかつ第１の係止孔５ｂと同方向に設けられた第２の係止孔５ｃとを形成した係合部５が設けられており、胴部２ａの係合部５の近傍には、ほぼ矩形状に開口された窓部６が設けられている。なお、第２の係止孔５ｃを第１の係止孔５ｂと反対方向に設けてもよい。
【００２０】
１１は接続具の混注部であるＹ型の液体混注具の本体を構成し、コネクター１とほぼ同じ材料からなるハウジングで、両端部に混注口１２と流出口１３とをそれぞれ有する管状体であり、かつその中間部に内腔１４ａがハウジング１１の内腔１１ａに連通し、先端部に注入口１５を有する分岐管１４が形成されている。そして、使用時においては、流出口１３および注入口１５に延長チューブ８，９がそれぞれ結合される。１６はほぼ中心部に垂直に設けたスリット１６ａを有し、このスリット１６ａに沿ってコネクター１の鈍針３が穿刺されるゴム状弾性体で、例えば天然ゴムまたはイソプロピレンゴム等の合成ゴム材料からなり、厚さが３ｍｍ以上８ｍｍ以下で、好ましくは４ｍｍ以上５ｍｍ以下に形成されている。なお、ゴム状弾性体１６の厚さが３ｍｍ未満であると、鈍針３の先端部３ｂをゴム状弾性体１６のほぼ中間部で位置させたときに先端部３ｂがゴム状弾性体１６によって閉塞されず、ゴム状弾性体１６の厚さが８ｍｍを越えると、鈍針３をゴム状弾性体１６に穿刺する際の抵抗が大きくなり、穿刺操作がしにくくなってしまう。
【００２１】
１７はハウジング１１の混注口１２の外周部に一体に形成され、外径がコネクター１のフード部２の胴部２ａの内径とほぼ等しく、その胴部２ａ内に摺動かつ回動可能に嵌合される有底円筒状の接続部で、ゴム状弾性体１６を混注口１２の上部に固定している。また、接続部１７の外壁１７ａにはコネクター１のフード部２の胴部２ａに設けられた係合部５に係止する突起部１８が設けられており、外壁１７ａの突起部１８の近傍には、「開」および「閉」の文字部１９が設けられていて、突起部１８を係合部５の第１の係止孔５ｂに係止したときに、「開」の文字部１９がフード部２の胴部２ａに設けられた窓部６に表示される。
【００２２】
そして、フード部２の胴部２ａ内に接続部１７を嵌合し、係合部５の溝部５ａに突起部１８を嵌入して第１の係止孔５ｂに突起部１８を係止させると、コネクター１の鈍針３がゴム状弾性体１６のスリット１６ａに沿って深く穿刺して貫通し、鈍針３の先端部３ｂがハウジング１１の内腔１１ａ内に位置するとともに、窓部６に「開」の文字部１９が表示されて、コネクター１の連結部４に連結された例えば延長チューブ７から鈍針３を介して行われる他の薬液の投与、つまり混注が行われる。また、第２の係止孔５ｃに突起部１８を係止させると、コネクター１の鈍針３がゴム状弾性体１６のスリット１６ａに沿って浅く穿刺して鈍針３の先端部３ｂがゴム状弾性体１６のほぼ中間部に位置し、ゴム状弾性体１６によって閉塞されるとともに、「閉」の文字部１９がフード部２の先端部近傍に表示されて、コネクター１の連結部４に連結された例えば延長チューブ７からの他の薬液の投与、つまり混注が遮断されて中断される。
【００２３】
このように構成されたこの実施の形態１において、主薬液の輸液中に他の薬液を持続的に混注する場合、まず、患者の血管に留置した留置針の基部（図示せず）に延長チューブ８の先端部を連結し、図１（ｂ）の矢印Ｘに示すように、主薬液を延長チューブ９からメインルートである注入口１５へ送って分岐管１４の内腔１４ａからハウジング１１の内腔１１ａへ送り、ハウジング１１の流出口１３および延長チューブ８から患者側（血管）に投与する。
【００２４】
ついで、図２に示すように、ハウジング１１の接続部１７にコネクター１のフード部２を嵌合させつつ、ゴム状弾性体１６に針部３をスリット１６ａに沿って穿刺させ、接続部１７の突起部１８をコネクター１の係合部５の第１の係止孔５ｂに係止して、針部３の先端部３ｂをゴム状弾性体１６を貫通させハウジング１１の内腔１１ａ内に位置させる。この時、フード部２の窓部６には、接続部１７の外壁１７ａに設けられた「開」の文字部１９が表示される。そして、図２（ｂ）の矢印Ｙに示すように、延長チューブ７からの他の薬液を、連結部４の内腔４ａから鈍針３の内腔３ａへの混注ルートを通ってハウジング１１の内腔１１ａへ送り、メインルート（図２（ｂ）の矢印Ｘ）からの主薬液とハウジング１１の内腔１１ａ内で混合させつつ流出口１３および延長チューブ８から患者側（血管）に持続的に混注する。
【００２５】
持続的混注を中断する場合は、ハウジング１１の接続部１７に嵌合しているコネクター１のフード部２を回動および摺動して突起部１８の係合部５の第１の係止孔５ｂへの係止を解除し、図１に示すように、突起部１８を係合部５の第２の係止孔５ｃに係止して、鈍針３の先端部３ｂをゴム状弾性体１６のほぼ中間部に位置させる。この時、フード部２の窓部６には何も表示されず、フード部２の先端部近傍には、接続部１７の外壁１７ａに設けられた「閉」の文字部１９が表示される。そして、鈍針３の先端部３ｂはゴム状弾性体１６によって閉塞され、延長チューブ７からハウジング１１への他の薬液の混注ルート（図１（ｂ）の矢印Ｙ）をゴム状弾性体１６により遮断し、持続的混注を中断する。
【００２６】
また、持続的混注を再開する場合は、ハウジング１１の接続部１７に嵌合しているコネクター１のフード部２を回動および摺動して突起部１８の係合部５の第２の係止孔５ｃへの係止を解除し、図２に示すように、突起部１８を係合部５の第１の係止孔５ｂに再び係止して、鈍針３の先端部３ｂをゴム状弾性体１６を貫通させてハウジング１１の内腔１１ａ内に位置させる。この時、フード部２の窓部６には、接続部１７の外壁１７ａの「開」の文字部１９が再び表示される。そして、延長チューブ７からの他の薬液を、開放された混注ルート（図２（ｂ）の矢印Ｙ）を通ってハウジング１１の内腔１１ａへ再び送り、メインルート（図２（ｂ）の矢印Ｘ）からの主薬液と混合させつつ流出口１３および延長チューブ８から患者側（血管）に送って、持続的混注を再開する。
【００２７】
このように、ハウジング１１の接続部１７にコネクター１のフード部２を嵌合したとき、接続部１７の外壁１７ａに設けられた突起部１８を、フード部２の胴部２ａに設けた係合部５の第１および第２の係止孔５ｂ，５ｃに係止することによって、鈍針３のゴム状弾性体１６への挿入深さを２段階に設定し、持続的混注を実行または再開する場合は、突起部１８を第１の係止孔５ｂに係止して、鈍針３の先端部３ｂをゴム状弾性体１６に深く挿入、つまりゴム状弾性体１６を貫通させてハウジング１１の内腔１１ａ内に位置させ、延長チューブ７からの他の薬液を、混注ルートを通ってハウジング１１側に注入させる。また、持続的混注を中断する場合は、突起部１８を第２の係止孔５ｃに係止して、鈍針３の先端部３ｂをゴム状弾性体１６に浅く挿入、つまりゴム状弾性体１６のほぼ中間部に位置させて、鈍針３の先端部３ｂをゴム状弾性体１６により閉塞させ、延長チューブ７からの他の薬液の混注ルートを遮断させるようにした。
【００２８】
これにより、持続的混注等の中断および再開（実行）を、コネクター１の係合部５およびハウジング１１の突起部１８の簡単な操作で行うことができる。また、中断中の鈍針３の先端部３ｂはゴム状弾性体１６によって閉塞されているため、使用中のコネクター１を新しいものと交換しなくても、ハウジング１１への細菌の侵入を阻止して感染を防止することができ、使用中のコネクター１を継続して用いることができる接続具を得ることができる。
【００２９】
また、コネクター１のフード部２に設けた窓部６と、ハウジング１１の接続部１７の外壁１７ａに設けた「開」および「閉」の文字部１９とによって、現在行われている試技、つまり持続的混注等の中断および実行（再開）をコネクター１およびハウジング１１側で視覚的に認識することができるため、医療従事者の誤操作を防ぐことができる。
【００３０】
実施の形態２．
図３（ａ）は本発明の実施の形態２に係るコネクターの外観図で、この実施の形態２は、実施の形態１に係るコネクター１のフード部２の胴部２ａに設けられた係合部５に代えて、フード部２の胴部２ａの先端部側に鈍針３の軸方向（挿入方向）とほぼ平行で先端部が開口されたほぼＩ字状の溝部１０ａを設け、その溝部１０ａの基端部から胴部２ａの先端部に向かって傾斜した第１の係合部１０ｂと、溝部１０ａのほぼ中間部に第１の係合部１０ｂと同方向でかつ胴部２ａの先端部に向かって傾斜した第２の係止孔１０ｃとを形成した係合部１０を設けたものである。
【００３１】
そして、係合部１０の溝部１０ａに接続部１７に設けられた突起部１８を嵌入して第１の係止孔１０ｂに突起部１８を係止させると、コネクター１の鈍針３がゴム状弾性体１６のスリット１６ａに沿って深く穿刺して貫通し、鈍針３の先端部３ｂがハウジング１１の内腔１１ａ内に位置する。また、第２の係止孔１０ｃに突起部１８を係止させると、コネクター１の鈍針３がゴム状弾性体１６のスリット１６ａに沿って浅く穿刺して鈍針３の先端部３ｂがゴム状弾性体１６のほぼ中間部に位置し、先端部３ｂがゴム状弾性体１６によって閉塞されるように構成されている。
【００３２】
このように構成したことにより、実施の形態１とほぼ同じ作用および効果が得られ、ハウジング１１の接続部１７に設けられた突起部１８をコネクター１のフード部２の胴部２ａに設けられた係合部１０の第１の係止孔１０ｂまたは第２の係止孔１０ｃに係止することによって、鈍針３のゴム状弾性体１６への挿入深さを２段階に設定することができ、鈍針３の先端部３ｂをハウジング１１の内腔１１ａ内で開放またはゴム状弾性体１６で閉塞することができる。これにより、ハウジング１１への細菌の侵入を阻止して感染を防止しながら、持続的混注の中断または再開を簡単かつ確実に行うことができる。また、第１の係止孔１０ｂおよび第２の係止孔１０ｃは、溝部１０ａから胴部２ａの先端部に向かって傾斜しているので、第１の係止孔１０ｂまたは第２の係止孔１０ｃに係止された突起部１８がその位置から外れにくくなり、行う試技をより確実にするとともに、その状態を長く保持することができる。
【００３３】
実施の形態３．
図３（ｂ）は本発明の実施の形態３に係るコネクターの外観図で、この実施の形態３は、実施の形態１に係るコネクター１の係合部５に代えて、フード部２の胴部２ａの先端部側に鈍針３の軸方向（挿入方向）とほぼ平行で先端部が開口されたほぼＩ字状の溝部２０ａを設け、その溝部２０ａの基端部から胴部２ａの先端部に向かって傾斜した第１の係止孔２０ｂと、溝部２０ａのほぼ中間部に第１の係止孔２０ｂと反対方向から胴部２ａの先端部に向かって傾斜した第２の係止孔２０ｃとを形成した係合部２０を設けたものである。
【００３４】
そして、係合部２０の溝部２０ａに接続部１７の突起部１８を嵌入して第１の係止孔２０ｂに突起部１８を係止させると、コネクター１の鈍針３がゴム状弾性体１６のスリット１６ａに沿って深く穿刺して貫通し、鈍針３の先端部３ｂがハウジング１１の内腔１１ａ内に位置する。また、第２の係止孔２０ｃに突起部１８を係止させると、コネクター１の鈍針３がゴム状弾性体１６のスリット１６ａに沿って浅く穿刺して鈍針３の先端部３ｂがゴム状弾性体１６のほぼ中間部に位置し、先端部３ｂがゴム状弾性体１６によって閉塞されるように構成されている。
【００３５】
このように構成したことにより、実施の形態１とほぼ同じ作用および効果が得られ、ハウジング１１の接続部１７の突起部１８をコネクター１のフード部２の胴部２ａに設けられた係合部２０の第１の係止孔２０ｂまたは第２の係止孔２０ｃに係止することによって、鈍針３のゴム状弾性体１６への挿入深さを２段階に設定することができ、鈍針３の先端部３ｂをハウジング１１の内腔１１ａ内で開放またはゴム状弾性体１６で閉塞することができる。これにより、ハウジング１１への細菌の侵入を阻止して感染を防止しながら、持続的混注の中断または再開を簡単かつ確実に行うことができる。また、第１の係止孔２０ｂおよび第２の係止孔２０ｃを溝部２０ａを中心に異なる方向に設けたので、突起部１８の第１の係止孔２０ｂおよび第２の係止孔２０ｃへの係止が行いやすくなり、持続的混注の中断または再開の操作の誤りを防ぐことができる使い勝手のよい接続具を得ることができる。
【００３６】
実施の形態４．
図３（ｃ）は本発明の実施の形態４に係るコネクターの外観図で、この実施の形態４は、実施の形態１に係るコネクターの係合部５に代えて、フード部２の胴部２ａの先端部側に鈍針３の軸方向（挿入方向）とほぼ平行で先端部が開口されたほぼＩ字状の溝部３０ａを設け、その溝部３０ａの基端部から胴部２ａの先端部に向かって傾斜した第１の係止孔３０ｂと、溝部３０ａの基端部の第１の係止孔３０ｂとは反対方向から胴部２ａの先端部に向かって傾斜し、第１の係止孔３０ｂより胴部２ａの先端部側に位置する第２の係止孔３０ｃとを形成した係合部３０を設けたものである。
【００３７】
そして、係合部３０の溝部３０ａに接続部１７の突起部１８を嵌入して第１の係止孔３０ｂに突起部１８を係止させると、コネクター１の鈍針３がゴム状弾性体１６のスリット１６ａに沿って深く穿刺して貫通し、鈍針３の先端部３ｂがハウジング１１の内腔１１ａ内に位置する。また、第２の係止孔３０ｃに突起部１８を係止させると、コネクター１の鈍針３がゴム状弾性体１６のスリット１６ａに沿って浅く穿刺して鈍針３の先端部３ｂがゴム状弾性体１６のほぼ中間部に位置し、先端部３ｂがゴム状弾性体１６によって閉塞されるように構成されている。
【００３８】
このように構成したことにより、実施の形態１とほぼ同じ作用および効果が得られ、ハウジング１１の接続部１７の突起部１８をコネクター１のフード部２の胴部２ａに設けられた係合部３０の第１の係止孔３０ｂまたは第２の係止孔３０ｃに係止することによって、鈍針３のゴム状弾性体１６への挿入深さを２段階に設定することができ、鈍針３の先端部３ｂをハウジング１１の内腔１１ａ内で開放またはゴム状弾性体１６で閉塞することができる。これにより、ハウジング１１への細菌の侵入を阻止して感染を防止しながら、持続的混注の中断または再開を簡単かつ確実に行うことができる。また、第１の係止孔３０ｂおよび第２の係止孔３０ｃを溝部３０ａの基端部でかつ溝部３０ａを中心に異なる方向に設けたので、突起部１８の第１の係止孔３０ｂおよび第２の係止孔３０ｃへの係止を、コネクター１を回動させることにより簡単に行うことができ、誤操作を防ぐとともに使い勝手のよい接続具を得ることができる。
【００３９】
以上本発明の実施の形態について説明したが、本発明はこれに限定するものではなく、例えば以下の如く適宜変更することができる。
（１）上述の実施の形態ではＹ型の液体混注具にコネクター１を接続し、他の薬液の持続的混注を中断する場合を例示して説明したが、例えばカテーテルの基端部に連結される注入用コネクターなどでゴム状弾性体を有する混注部にコネクター１を接続してもよく、また、例えば主薬液の中断等を行ってもよい。これらの場合も同様の効果を奏する。
【００４０】
（２）上述の実施の形態ではコネクター１に例えば２つの係止孔５ｂ，５ｃを有する係合部５を設け、鈍針３のゴム状弾性体１６への挿入深さを２段階に設定した場合を示したが、係止孔を複数設け、鈍針３の挿入深さを多段階に設定できるようにしてもよい。この場合も、同様の効果を奏する。
【００４１】
（３）上述の実施の形態ではコネクター１に鈍針３を設けた場合を示したが、従来例と同様に先端部が鋭利な針部を設けてもよい。この場合も同様の効果を奏する。
【００４２】
（４）上述の実施の形態ではコネクター１のフード部２に窓部６を設け、ハウジング１１の接続部１７の外壁１７ａに「開」および「閉」の文字部１９が設けて、突起部１８が例えば係合部５の第１の係止孔５ｂに係止したときに「開」の文字部１９が窓部６に表示される場合を例示して説明したが、これに限定するものではなく、窓部６の位置を変更して、突起部１８が例えば係合部５の第２の係止孔５ｃに係止したときに「閉」の文字部１９が窓部６に表示されるようにしたり、突起部１８の係止位置に対応して「開」および「閉」の両方の文字部１９を窓部６に表示させるようにしてもよく、窓部６を複数設けて両方の文字部１９をそれぞれ表示させるようにしてもよい。また、文字部１９は文字に限らず記号等を用いてもよい。
【００４３】
【発明の効果】
以上のように本発明に係る接続具は、基端部に外部を遮断するゴム状弾性体が取り付けられた薬液流入口を有する混注部と、内腔内にゴム状弾性体に穿刺される針部を有し、内腔内に混注部の基端部が着脱可能かつ摺動および回動可能に接続されるコネクターとを備えてなり、混注部の基端部の外壁に突起部を設けるとともに、コネクターの外周部に、突起部が係止される少なくとも２個の係止孔を有し、先端部が開口された係合部を設け、突起部の係止孔への係止位置により、針部の先端部のゴム状弾性体への挿入深さを少なくとも２段階に設定できるようにし、コネクターを混注部に深く接続させたときに、コネクターの針部の先端部が混注部のゴム状弾性体を貫通して混注部の内腔内に位置し、コネクターを混注部に浅く接続させたときに、コネクターの針部の先端部が混注部のゴム状弾性体内に位置して針部の先端部をゴム状弾性体により閉塞するようにしたので、コネクター側からの薬液投与の中断および再開を、接続具側の操作によるコネクターの混注部への接続の深さで簡単に操作することができるとともに、使用中のコネクターを新しいものと交換することなく継続して用いても、混注部への細菌の侵入を阻止して感染を防止することができる使い勝手のよい接続具を得ることができる。
【００４５】
本発明に係る接続具は、コネクターの係合部を、針部の挿入方向とほぼ平行で先端部が開口されたほぼＩ字状の溝部と、溝部の基端部に溝部と直交する方向に設けられた第１の係止孔と、溝部のほぼ中間部に溝部と直交しかつ第１の係止孔と同方向または反対方向に設けられた第２の係止孔とにより構成したので、コネクター側からの薬液投与の中断および再開を、混注部への細菌の侵入を阻止して感染を防止しながらコネクターの係合部の係止孔に混注部の突起部を係止するだけの簡単な操作で行うことができ、使い勝手のよい接続具を得ることができる。
【００４６】
本発明に係る接続具は、コネクターの係合部を、針部の挿入方向とほぼ平行で先端部が開口されたほぼＩ字状の溝部と、溝部の基端部からコネクターの先端部に向かって傾斜した第１の係止孔と、溝部の基端部の第１の係止孔と反対方向からコネクターの先端部に向かって傾斜し第１の係止孔より先端部側に位置する第２の係止孔とにより構成したので、コネクター側からの薬液投与の中断または再開を、細菌による感染を防止しながら簡単かつ確実に行うことができるとともに、溝部から混注部の先端部に向かって傾斜した第１の係止孔および第２の係止孔によって、突起部の係止孔への係止が外れにくくなり、行う試技をより確実にしかつその状態を長く保持することができる接続具が得られる。また、第１の係止孔および第２の係止孔を溝部を中心に異なる方向に設けた場合は、突起部の係止孔への係止がより行いやすくなり、薬液投与の中断または再開の操作の誤りも防ぐことができる。
【００４７】
本発明に係る接続具は、コネクターの係合部を、針部の挿入方向とほぼ平行で先端部が開口されたほぼＩ字状の溝部と、溝部の基端部からコネクターの先端部に向かって傾斜した第１の係止孔と、溝部の基端部の第１の係止孔と反対方向からコネクターの先端部に向かって傾斜し第１の係止孔よりコネクターの先端部側に位置する第２の係止孔とにより構成したので、コネクター側からの薬液投与の中断および再開を細菌による感染を防止しながら簡単かつ確実に行うことができるとともに、溝部の基端部でかつ溝部を中心に異なる方向に設けた第１の係止孔および第２の係止孔によって、突起部の係止孔への係止をコネクターを回動させることでより簡単に行うことができ、誤操作を防ぐとともに使い勝手のよい接続具を得ることができる。
【００４９】
本発明に係る接続具は、コネクターの外周部に設けられた係合部の近傍に、開口された窓部を設けるとともに、混注部の基端部の外壁に、コネクターの接続位置に対応して窓部から表示する文字部を設けたので、コネクター側からの薬液投与の中断および再開を接続具側で視覚的に認識することができ、医療従事者の操作を容易にし誤操作を防ぐことができる。
【００５０】
本発明に係る接続具は、コネクターを、混注部の基端部の外側に着脱可能かつ摺動および回動可能に嵌合される有蓋円筒状のフード部と、フード部の蓋部内側のほぼ中心部に設けられ、混注部の基端部がフード部内に嵌合されたときに混注部のゴム状弾性体に穿刺される鈍針と、フード部の蓋部外側のほぼ中心部に設けられ、鈍針の内腔に連通する内腔を有し、混注部品または側注部品が連結または結合される連結部と、フード部の外周部の先端部側に設けられ混注部の突起部が係止される少なくとも２個の係止孔を有する係合部とにより構成したので、上記のような効果を得ることができる。
【図面の簡単な説明】
【図１】本発明の実施の形態１の外観図およびその断面で示した作用説明図である。
【図２】本発明の実施の形態１の作用説明図である。
【図３】本発明の実施の形態２，３および４に係るコネクター１の外観図である。
【図４】従来の代表的なＹ型の液体混注具およびそれに接続して用いられるコネクターの一部を断面で示した外観図と、その作用説明図である。
【符号の説明】
１  コネクター
２  フード部
３  鈍針
４  接続部
５，１０，２０，３０  係合部
５ａ，１０ａ，２０ａ，３０ａ  溝部
５ｂ，１０ｂ，２０ｂ，３０ｂ  第１の係止孔
５ｃ，１０ｃ，２０ｃ，３０ｃ  第２の係止孔
６  窓部
７，８，９  延長チューブ
１１  ハウジング
１２  混注口
１６  ゴム状弾性体
１７  接続部
１８  突起部
１９  文字部
【図１】
0004075972.tif 000002
【図２】
0004075972.tif 000003
【図３】
0004075972.tif 000004
【図４】
0004075972.tif 000005